(57)【要約】  【課題】  活性炭が有する生体への好ましい効果に加えて、マイナスイオンによる効果も得ることができる身体装着具を提供する。  【解決手段】  シート状材１０は、天然靱皮繊維からできた糸を編んで作り、面状に広がった織物を炭化した織物炭化材層１と、その織物炭化材層１が固着された織物布などの第１下地材２と、ラドンなどの放射性物質を含む放射性物質層４と、その放射性物質層４が固着された織物布などの第２下地材３とを有している。このような構成であれば、織物炭化材層１による遠赤外線による効用と微弱な放射線によって発生したマイナスイオンによる効用を得ることができる。【選択図】  図１
2005218651.tif 000002
【特許請求の範囲】
【請求項１】
天然靱皮繊維からなる糸を編んで作り、面状に広がった織物を炭化した織物炭化材層と、放射性物質を含む鉱石の微細な粒状体を面状に配置した放射性物質層を含むシート状材から構成され、前記シート状材を身体に装着可能な形状に加工したことを特徴とする、身体装着具。
【請求項２】
和紙からなる糸を編んで作り、面状に広がった織物を炭化した織物炭化材層と、放射性物質を含む鉱石の微細な粒状体を面状に配置した放射性物質層とを含むシート状材から構成され、前記シート状材を身体に装着可能な形状に加工したことを特徴とする、身体装着具。
【請求項３】
植物の活性炭を粒子径１μｍ〜１ｍｍの粒子にした後、面状に広がらせて形成した炭化材層と、放射性物質を含む鉱石の微細な粒状体を面状に配置した放射性物質層とを含むシート状材から構成され、前記シート状材を身体に装着可能な形状に加工したことを特徴とする。
【請求項４】
請求項１ないし請求項３のいずれか一項に記載の身体装着具において、前記放射性物質層が平面的に形成部と非形成部を備えており、全面積に占める形成部の面積の比率は０．３〜０．６となっており、非形成部によって通気性を向上した構成となっている、身体装着具。
【請求項５】
請求項１ないし請求項４のいずれか一項に記載の身体装着具において、通気性の良い下地材の一面側に放射性物質層を固着させるとともに、その下地材の他面側に炭化材層を形成した、身体装着具。
【請求項６】
請求項１ないし請求項５のいずれか一項に記載の身体装着具において、炭化材層が固着された第１下地材と、放射性物質層が固着された第２下地材とを、炭化材層と放射性物質層とが向き合うように存在させた、身体装着具。
【請求項７】
請求項１ないし請求項６のいずれか一項に記載の身体装着具において、シート状材を通気性の良い布帛で覆った、身体装着具。
【請求項８】
請求項１ないし請求項７のいずれか一項に記載のシート状材を帯形に形成するとともに着脱自在の係合部を設けた、身体装着具。
【請求項９】
請求項８に記載の身体装着具において、足の裏及び足首部を帯形部が交差して巻けるように帯部の幅及び長さを設定した、身体装着具。
【発明の詳細な説明】
【技術分野】
【０００１】
本発明は身体に装着する衣服品や部具に関し、特に疲労回復、血行促進などの機能を備えた身体装着具に関する。
【背景技術】
【０００２】
木炭、竹炭などの活性炭には吸臭、除湿、防菌などの効用が知られており、古くからそれらの目的に使用されてきた。また、活性炭には遠赤外線放射に代表される生体への各種の保健作用があることが判明しつつあり、その活用に注目が集まっている。
下記特許文献１には和紙を原料にした糸を製織した織物地を炭とした炭化物を用いることで上記活性炭の効用を高めることができると開示されている。
【０００３】
一方、マイナスイオンについても疲労回復などの効果が報告されており、トルマリン鉱石を用いた手首用リングなどの各種健康用品のみならず、除湿器、エアコン等の家庭用電化製品にもマイナスイオン発生を特徴とするものが開発されている。マイナスイオンを発生させる物質としては前記トルマリンの他、麦飯石などの鉱石が知られている。これらの鉱石をパウダー状にして樹脂中に含ませたものが開発されている。
【０００４】
【特許文献１】特開２００３−３０６８５０「炭化物及びそのシート状製品」
【発明の開示】
【発明が解決しようとする課題】
【０００５】
しかしながら、マイナスイオンを発生させる微粒子を樹脂中に包み込む構成では、マイナスイオン発生物質の作用が弱くなってしまう課題がある。
また、特許文献１の炭化物は木炭などの炭製品をそのまま用いるよりも炭の働きを生かす作用は高いと認められるがこれは活性炭の作用であって、活性炭から発生するマイナスイオンの量はマイナスイオン発生に特化した物質より大幅に少なく、マイナスイオン発生による効果は特許文献１の炭化物では期待しにくいと考えられる。
【０００６】
この課題に対してマイナスイオン発生の効果に加えて活性炭の好ましい作用を加えるために、マイナスイオン発生物質を含んだ樹脂組成物に微細な活性炭の粉末を混入することが考えられるが、この方法では活性炭表面と空気、ガス等の接触面積が極めて低くなり、活性炭の特性を十分に生かすことができないという問題がある。
【０００７】
本発明は上記課題に鑑みてなされたものであり、本発明の目的は、上記課題を解決できる、身体装着具を提供することにある。
具体的な目的の一例を示すと、以下の通りである。
（ａ）活性炭が有する生体への好ましい効果に加えて、温泉浴のような効果も得ることができる身体装着具を提供する。
（ｂ）放射されるマイナスイオン量を増加することができる身体装着具を提供する。
（ｃ）上記シート状物を利用した健康用品において、足首や土踏まずの付けにくいところでも装着しやすく、身体に好ましい影響を与えることができる身体装着具を提供する。
（ｄ）身体の可動範囲の大きな関節部であっても血行促進、痛み解消などの効果を手軽に得ることができる関節部用の身体装着具を提供する。
なお、上記に記載した以外の発明の課題及びその解決手段は、後述する明細書内の記載において詳しく説明する。
【課題を解決するための手段】
【０００８】
本発明は多面的に表現できるが、例えば、代表的なものを挙げると、次のように構成したものである。
第１発明の身体装着具は、天然靱皮繊維からなる糸を編んで作り、面状に広がった織物を炭化した織物炭化材層と、放射性物質を含む鉱石の微細な粒状体を面状に配置した放射性物質層を含むシート状材から構成され、前記シート状材を身体に装着可能な形状に加工したことを特徴とする。
第２発明の身体装着具は、和紙からなる糸を編んで作り、面状に広がった織物を炭化した織物炭化材層と、放射性物質を含む鉱石の微細な粒状体を面状に配置した放射性物質層とを含むシート状材から構成され、前記シート状材を身体に装着可能な形状に加工したことを特徴とする。
第３発明の身体装着具は、植物の活性炭を粒子径１μｍ〜１ｍｍの粒子にした後、面状に広がらせて形成した炭化材層と、放射性物質を含む鉱石の微細な粒状体を面状に配置した放射性物質層とを含むシート状材から構成され、前記シート状材を身体に装着可能な形状に加工したことを特徴とする。
【０００９】
第４発明は、第１発明ないし第３発明のいずれか一つに記載の発明において、前記放射性物質層が平面的に形成部と非形成部を備えており、全面積に占める形成部の面積の比率は０．３〜０．６となっており、非形成部によって通気性を向上した構成となっていることを特徴とする。
第５発明は、第１発明ないし第４発明のいずれか一つに記載の発明において、通気性の良い下地材の一面側に放射性物質層を固着させるとともに、その下地材の他面側に炭化材層を形成したことを特徴とする。
【００１０】
第６発明は、第１発明ないし第５発明のいずれか一つに記載の発明において、炭化材層が固着された第１下地材と、放射性物質層が固着された第２下地材とを、炭化材層と放射性物質層とが向き合うように存在させたことを特徴とする。
第７発明は、第１発明ないし第６発明のいずれか一つに記載の発明において、シート状材を通気性の良い布帛で覆ったことを特徴とする。
【００１１】
第８発明は、第１発明ないし第７発明のいずれか一つに記載のシート状材を帯形に形成するとともに着脱自在の係合部を設けたことを特徴とする。
第９発明は、第８発明において、足の裏及び足首部を帯形部が交差して巻けるように帯部の幅及び長さを設定したことを特徴とする。
【００１２】
以下、上記第１発明〜第９発明の各構成について説明する。
第１発明において、天然靱皮(じんぴ)繊維としては、楮(こうぞ）、三椏 (みつまた)、雁皮(がんぴ）などが例示できる。これらの天然繊維材料は第２発明に記載される和紙に使用されるものである。天然靱皮繊維は、茎の形成層の外方にある師部繊維・皮層繊維などから成る。他に靱皮繊維のよく発達している植物として麻・アマがある。
「天然靱皮繊維からなる糸」としては、麻を捩って縄のようにする場合も含んでいる。麻には靱皮繊維が豊富に含まれており、前記した「和紙」を使用せずに本発明に係る「織物炭化材層」を製造することも可能である。
【００１３】
「天然靱皮繊維からなる糸を編んで作り、面状に広がった織物を炭化した織物炭化材層」を使用することにより炭の持つ、遠赤外線放射、消臭、抗菌作用が高まる理由は、確実なことは分からないが、推測される理由としては下記のものが考えられる。
（１）特殊な繊維である天然靱皮繊維を炭にすることにより、一般の備長炭、竹炭に比べて遠赤外線放射、消臭、抗菌作用を高くすることができる。
（２）天然靱皮繊維からなる糸を炭化することにより、糸形の炭の内部構造が中空になり、その中空部において、空気、ガスに接触する面積を増やすことができる。
（３）糸を編んだものが炭になっているので、全体の炭の構造も立体構造となり、接触する面積が大きくなる。
【００１４】
上記織物炭化材層の織物炭化材は、破壊されにくいように天然接着剤などを用いて織物、不織布などの下地材に付着させた状態で使用される。付着させる織物、不織布はある程度の通気性を備えたものであれば、広く市販の材料が使用できる。
【００１５】
第２発明に関係して、一般に「和紙」とは、最も狭義には、楮(こうぞ）、三椏 (みつまた)、雁皮(がんぴ）などから抽出した繊維およびそれらの古紙を原材料とし、トロロアオイの根や、ノリウツギの樹皮などから抽出した粘剤「ねり」を混ぜ、流し漉きという日本独特な技法を取り入れた手漉きの紙を言う場合がある。
【００１６】
本明細書においては、第２発明に記載した「和紙」とは、上記最も狭義の和紙も含め、さらに手漉き和紙を模造して、明治後半から生産されはじめた機械すき和紙（抄紙機による機械すきの和紙）や、広義の和紙、即ち、洋紙よりも繊維が長くて繊維どうしが緊密に絡み合い、ねばり強く薄くても強靭な紙も含むものとする。但し、織物炭化材層として使用する和紙としては、最も狭義な和紙や、機械すき和紙を採用することが好ましい。
これに対して、洋紙と言われるものは、主に木材バルプを原料にしており、中国紙の主流である竹等の非木材質などを原料とし、洋紙の繊維は、靱皮繊維と比べて短く、粘り強くないものである。
【００１７】
なお、上記３種類の材料のうち、一般に楮の繊維が最も長く１０〜２０ｍｍほどもあり、絡み合いやすく、網の目のようにネットワーク状に繊維同士がつながりを持ち最も強靭である。雁皮の繊維は５ｍｍ内外とそれより短いが、半透明で光沢があり、ねばり強く、平滑なきめ細やかさを持っている。また、三椏の繊維も雁皮と同様に短いが、腰が柔軟で、しかも優美な紙が得られる特徴がある。
第５発明〜第９発明において記載した「炭化材層」には、第１発明、第２発明に言う織物炭化材層と第３発明に言う天然の植物から得られた炭化材からなる層も含む意味で用いている。
【００１８】
放射性物質には、例えば温泉水に含まれる物質が好適に使用でき、そのような放射性物質としては、ラドン（Ｒｎ：２２２Ｒｎ），ラジウム（２２６Ｒａ），ラドンの放射性同位体であるトロン（Ｔｎ：２２０Ｒｎ），アクチノン（Ａｎ：２１９Ｒｎ）等が例示できる。
「放射性物質を含む鉱石」としては、例えば、モザナイトなどが例示できる。また、必要により温泉などで噴出する微量の放射線を放出する鉱石も使用できる。
【００１９】
高い放射線を浴びると人体に有害であるが、温泉が治療に古くから用いられているように微弱な放射線は人体に好影響を与えることが知られている。本発明は前記放射性物質層からそのような人体に有益な作用を与える微弱な放射線を発生させることにより、血行促進、抗菌作用、疲労回復などの効果を得るものである。微弱な放射線がどのような作用により人体に好影響を与えるかは科学的に明らかにされていないが、その理由の一つとして、下記のような推論を挙げることができる。
【００２０】
放射線の吸収は、生体の７０％を占める水に吸収されるので、放射線が大気中又は人体内の水分を通過した後の化学的作用を調べることが必要である。放射線が水（Ｈ２Ｏ）を通過することにより、Ｈ、−ＯＨ，ｅ−ａｑ，Ｈ２，Ｈ２Ｏ２，Ｈ３Ｏ＋が発生することが知られており、これらの発生物質のうち、−ＯＨ、Ｈ２Ｏ２などの活性酸素種により、いわゆるマイナスイオンとして機能するというものである。マイナスイオンは抗菌、防臭作用があることが知られている。また、放射性物質とその崩壊生成物により生じた活性酸素種が身体の細胞や組織に複雑な生化学的作用を及ぼし、各種器官の働きを活発にすると予想されている。これらの作用は基本的に放射性温泉水による作用と同じと考えられている。
その効果は、臨床医学的に自律神経の鎮静、ホルモンや代謝異常の調整、鎮痛などの作用である。また、微弱なα線には神経細胞を沈静化させる作用があるため、放射性物質によりリウマチ、関節炎、筋肉痛などの痛みを和らげる効果があるとされている。また、放射性物質からの微弱な放射線により人体の免疫に重大な影響を及ぼす副腎皮質ホルモンの分泌を高めるという報告もなされている。
【００２１】
第３発明に使用する植物の活性炭は、例えば、備長炭、竹炭が例示できる。この第３発明に係る身体装着具は、第１発明、第２発明に比べて遠赤外線の発生においては劣るが、放射性物質層による放射線の照射効果による相乗作用により、従来の備長炭、竹炭で構成された身体装着具に比べて、血行促進作用などを高くすることができる。
第４発明にも記載したように、放射性物質層を面状に配置する形態は、単位面積当たりにほぼ均等に放射性物質が配置される構成であれば形態は特に限定されない。例えば、全面が一枚の紙、シートのように形成する場合のみならず、格子形のように放射性物質層が形成されていない非形成部を含んで放射性物質層を形成してもよい。
【００２２】
第１発明〜第９発明に記載の身体装着具は、帯形装着具、肩当て着の他、腰当て着など各種の装着具として適用することができる。
第５発明において、「下地材の他面側に炭化材層を形成する」一方法として、その下地材の他面側に炭化材層を固着する方法がある。
特に下地材を織物、不織布などの布帛で構成した場合は、放射性物質層を前記布帛に固着させることになるので、織物炭化材層を保持する布帛を、放射性物質層を保持する布帛と共用させることができ、シート状物の厚さを薄くできるとともに放射線、遠赤外線などが身体に達する割合を多くできる。
【００２３】
第８発明において、帯形装着具を例えば、人体の関節部に略８の字形に交差するように装着することで、関節部の円滑な動きを確保しつつ血行促進、痛み解消などの効果を得ることができる。
【発明の効果】
【００２４】
以下、各発明の効果などについて説明する。
第１発明及び第２発明であれば、以下の特有の効果を有する。
（イ）放射性物質層が発する微弱な放射線によりマイナスイオンが発生する。したがって、織物炭化材層による遠赤外線発生などの活性炭の好ましい作用とマイナスイオン発生の双方の好ましい作用を同時に得ることができる。
（ロ）放射性物質層を面状に配置したので、広範囲にマイナスイオン発生の効果を及ぼすことができるとともに、面状に広がった織物炭化材層に均一に放射線を供給でき、相乗的に身体に好ましい作用を増幅させることができる。
【００２５】
第３発明であれば、以下の特有の効果を有する。
（ハ）放射性物質層が発する微弱な放射線によりマイナスイオンが発生する。したがって、炭化材層による遠赤外線発生などの活性炭の好ましい作用とマイナスイオン発生の双方の好ましい作用を同時に得ることができる。
（ニ）放射性物質層を面状に配置したので、広範囲にマイナスイオン発生の効果を及ぼすことができるとともに、面状に広がった炭化材層に均一に放射線を供給でき、相乗的に身体に好ましい作用を増幅させることができる。
【００２６】
第４発明であれば、前記放射性物質層が平面的に形成部と非形成部を備えており、全面積に占める形成部の面積の比率は０．３〜０．６となっており、非形成部によって通気性を向上した構成としたので、放射性物質層を形成しても、シート状材を通り抜ける方向の通気性を向上させることができるので、放射性物質層側から炭化材層に達する空気、ガス量を増やすことができ、活性炭の好ましい効果を低下させることなく、マイナスイオン発生による効果を享受することができる。
【００２７】
第５発明であれば、通気性の良い下地材だけを挟んで、一面側に放射性物質層を配置し、他面側に織物炭化材層を配置できるので、放射性物質と炭化材との好ましい相互作用を高めることができる。
第６発明であれば、シート状材の厚さを薄くできるとともに、放射性物質層と炭化材層が直接近接して配置されるので、放射性物質と炭化材との好ましい相互作用を高めることができる。
【００２８】
第７発明であれば、シート状材を通気性の良い布帛で覆ったことにより、炭化材が外部の物に接触して破損することを防止できるとともに通気性の良い布帛で覆ったことにより、空気、ガスなどとの接触性を低下させることなく、マイナスイオンの発生と炭化材による効果を享受することができる。
【００２９】
第８発明であれば、シート状材を帯形に形成するとともに着脱自在の係合部を設けたことにより、身体の腕、足、足首などの部分に巻くことができ、装着しやすくなる。
第９発明であれば、足の裏及び足首部を帯形部が交差して巻けるように帯部の幅及び長さを設定したので、足首及び土踏まずの部分を足首の動きを妨げることなく装着することができる。
【発明を実施するための最良の形態】
【００３０】
以下、本発明の実施の形態を図面に基づき説明する。
図１は本発明の第１実施形態を示す身体装着具の縦断面図である。
なお、以下の第１実施形態〜第３実施形態は、身体装着具に用いるシート状材１０を示してある。
図１に示すシート状材１０は、天然靱皮繊維からできた糸を編んで作り、面状に広がった織物を炭化した織物炭化材層１と、その織物炭化材層１が固着された織物布などの第１下地材２と、ラドンなどの放射性物質を含む放射性物質層４と、その放射性物質層４が固着された織物布などの第２下地材３と、を有している。
【００３１】
織物炭化材層１に使用される天然靱皮繊維は、楮、三椏、雁皮などから抽出した靱皮繊維と麻の靱皮繊維を混合した構成となっている。麻の靱皮繊維を使用することにより単位面積当たりの価格を安くすることができる。
第１下地材２に通気性を損なわない程度に接着剤を塗布し、織物炭化材層１を貼り付けることにより、織物炭化材層１を第１下地材２と一体化させるとともに活性炭であっても一般の布地と同じように使用することができるようになる。
【００３２】
放射性物質層４は、天然鉱石を０．１μｍ〜１０００μｍ。好ましくは１μｍ〜３０μｍ程度に粉砕して微粒子状にした成分を第２下地材３にローラ等で塗り付けることにより形成する。目付量は長期間使用しても放射性物質が布帛などの下地材から剥離せず、柔軟性のあるシート材として使用できる範囲で設定すれば良い。この目付量よりも、後述する放射線物質が放射する放射線量やマイナスイオン量が重要となる。天然鉱石内に含まれる放射性元素などが多量であれば目付量は少なくてよく、天然鉱石内に含まれる放射性元素などが少量であれば目付量は多く必要となる。
【００３３】
第１下地材２と第２下地材３は、ポリエステル、ナイロン、ポリプロピレンなどの合成繊維の他、絹などの天然繊維などの織物、不織布を使用することができる。
織物炭化材層１が固着された第１下地材２と、放射性物質層４が固着された第２下地材３とを接着剤によって貼り付けることにより、一枚のシート状材１０として使用できるようになる。
シート状材１０の厚さは２ｍｍ〜５ｍｍ程度の非常に薄い構成となっている。
【００３４】
一枚のシート状材にする方法は、上記方法に限られるものではない。例えば、第１下地材２、第２下地材３の両内面に通気性を損なわない程度に接着剤を塗布し、織物炭化材層１を挟み込むことにより、表面と裏面が第１下地材２、第２下地材３によって覆われた一枚のシート状材１０を製造してから、そのシート状材１０の表面と裏面の少なくとも一方の面に放射性物質層４を形成する方法を採用しても良い。
【００３５】
放射性物質層４を形成する方法は、ローラなどにより塗り付ける他、スタンプ部材により塗布液をスタンプして形成する方法、放射性物質をスプレーで吹き付ける方法、下地材を放射性物質に含浸させる方法など各種の方法で製造することができる。
また、図１に示す構成において、放射性物質層４が直接、露出しないように放射性物質層４の表面を覆うポリエステル、ナイロン、ポリプロピレンなどの繊維からなる保護材（例えば、布帛）を設けても良い。
【００３６】
（第２実施形態）
図２は本発明の第２実施形態を示すシート状材の縦断面図である。
この第２実施形態が前記第１実施形態と異なる点は、第２下地材３に形成される放射性物質層４が平面的に形成部６と非形成部７を備えており、その非形成部７の存在によりシート状材１０を通り抜ける方向の通気性を向上させた点である。
【００３７】
図３（Ａ）〜（Ｄ）はそれぞれ放射性物質層を上方から見た平面図である。
図３（Ａ）は放射性物質層４の形成部６と非形成部７をそれぞれ正方形に形成して互い違いに配置した構成であり、図３（Ｂ）は形成部６を一定間隔で配置され、上下に延びる複数の太線で形成した構成であり、図３（Ｃ）は形成部６を上下、左右に交差する複数の太線で形成した構成であり、図３（Ｄ）は形成部６を一定の規則を持って繰り返される特定パターンで形成した構成である。
【００３８】
図３（Ａ）〜（Ｄ）において、シート状材の全面積Ｓに占める形成部６の面積ｓ１の比率（ｓ１／Ｓ））は０．１〜０．９、好ましくは０．３〜０．６、更に好ましくは、０．４〜０．６に設定される。なお、非形成部７の面積をｓ２とすると、Ｓ＝ｓ１＋ｓ２である。
【００３９】
この第２実施形態の構成であれば、放射性物質層４を全面に形成する場合に比べて通気性を向上させることができる。
このように放射性物質層４は下地材の全面に形成する必要はなく、ある程度の密度を持って配置されれば効果を向上させることができる。これは、通気性の高い方が、織物炭化材層１の活性炭の持つ、吸臭性、除湿性、防菌性などの効用を発揮しやすいからである。また、一定の規則を持って繰り返される特定パターンとしては、図３（Ｄ）に示した形以外にも、例えば、蜂の巣形（八角形）など各種のものが採用できる。
【００４０】
（第３実施形態）
図４は本発明の第３実施形態を示すシート状材の縦断面図である。
この第３実施形態は、織物炭化材層１が固着された第１下地材２と、放射性物質層４が固着された第２下地材３とを、織物炭化材層１と放射性物質層４とが向き合うように接着剤、縫合などの方法を用いて接合することにより、一枚のシート状材１０として使用できるようにしたことを特徴とする。
この構成であると、シート状材１０の厚さを薄くできるとともに、放射性物質層４と織物炭化材層１とを直接近接して配置することができる。
【００４１】
（第４実施形態）
図５、図６（Ａ）〜（Ｄ）はそれぞれ本発明に係る第４実施形態を説明するための図であり、図５は帯形装着具の平面図、図６（Ａ）〜（Ｄ）は、その装着方法の一例を示す図である。
この帯形装着具９は足首健康具としても使用できるものであり、図５に示すように第１実施形態〜第３実施形態に記載したシート状材１０を帯形に形成し、その周縁部を縁付部１４で縫合することにより構成してある。この実施形態では、帯形装着具９の少なくとも両端部に着脱自在の一対の係合部８が形成してある。そのような係合部８の組として、本実施形態ではマジックテープを採用している。
【００４２】
図５では係合部８は帯形装着具９の両端部にそれぞれ一つずつ形成している例が示してあるが、両端部の裏表にそれぞれ一つの係合部８を取り付け、帯形装着具９全体で４個の係合部を有する構成としても良い。また、帯形装着具９の全面にマジックテープを貼るなどの方法により、帯形装着具９の全面に係合部８を形成した構成にしても良い。
【００４３】
図６（Ａ）は両足首に帯形装着具を巻いた後の使用状態を示す斜視図である。帯形装着具９を足に巻く方法は適宜、考えられるが、例えば、図６（Ｂ）に示すように帯形装着具９の上に一方の足踏まずを乗せて、図６（Ｃ）に示すように一端側先端部を足首の後側に回した後、図６（Ｄ）に示すように、他端側の先端部と足の甲の上で交差するように一対の係合部であるマジックテープで止めることで装着することができる。
【００４４】
この帯形装着具９であれば足首及び足の動きを妨げることなく、前記シート状材を足に装着することができ、遠赤外線、マイナスイオン効果により血行を良くして、足先のしびれ、痛みを和らげるとともに、抗菌、消臭効果により、靴の中や靴下のいやな臭いを除くことができる。
この帯形装着具９は毎日使用していると効果が落ちたように感じられる場合があるが、その時は、２〜３時間ほど直射日光にあてて乾燥させることにより、通気性を回復するとともに織物炭化材を効果を発揮する状態に戻すことが可能になる。
【００４５】
（第５実施形態）
図７は本発明に係る第５実施形態を説明するための斜視図である。
この実施形態における身体装着具１１は、肩当て着１２として構成される。図７に示す肩当て着１２は、第１発明〜第６発明に記載した身体装着具を少なくとも肩部を覆うような短いチョッキ形に形成したことを特徴としている。
この肩当て着１２であれば、肩の凝りやすい人でも遠赤外線、マイナスイオン効果により血行を良くして、肩の凝り、痛みを和らげることができる。また、第１実施形態〜第３実施形態のように極めて薄いシート状材で構成されているので、例えば、シャツなどの下着の上に重ね着の感じ、違和感を少なくして手軽に装着することができる。
【実施例】
【００４６】
以下、具体的な実施例について説明する。
（実施例１）
和紙糸を編んで作り面状に広がった織物を炭化した織物炭化材の両側面を、２枚のポリエステル繊維で挟み込んでシートを製造した。そのシートの一方側の面に放射性物質の塗布液を用いてプリント印刷により放射性物質層を形成した。放射性物質層は、図３（Ｄ）のパターンで構成し、形成部の比率を０．６に設定した。
【００４７】
また、放射性物質は５μｍに粉砕したモザナイトなどの鉱石を３０重量部と、セラミック材６５重量部と、粘性調整剤５重量部を添加混合したものを使用した。マイナスイオン量の測定は、株式会社エコホリステック製イオンテスタＥＢ−１３を使用した。イオンテスタＥＢ−１３は放射線の強さをマイナスイオン量に換算するものである。実施例１のマイナスイオン量は１２２０であった。
なお、身体装着具として使用する場合に検出される放射線の強さは身体に装着される想定時間によっても変わるが、０．０５μＳＶ〜０．３μＳＶ、好ましくは０．１μＳＶ〜０．２μＳＶ（マイクロシーベルト）程度である。マイナスイオン量はイオンテスタＥＢ−１３の測定で、５００〜５０００、好ましくは５００〜２０００である。
【００４８】
身体装着具の効果の測定として、３０分間、足首を冷した実験者５人に図５、図６に記載した帯形装着具を一方の足首（例えば右足首）に帯形装着具を装着し、他方の足首（例えば左足首）に遠赤外線と放射線の両方の効果を期待できないダミー品をそれぞれ３０分装着し、どちらの足首が暖かく感じるかについての体感調査を行った。また、左右足首の感覚の違いがないように、実験者５人の左右の足首を３０分間を冷した後、各実験者の左右の足首への装着を取り替えて実験を行い、その平均を取った。
ダミー品は、放射性物質を含む鉱石を入れず、セラミック材のみで塗布液を構成するとともに炭化材層は使用せず、黒色の織物で代用して外見上はほとんど実施例品の帯形装着具と異ならないようにした。
【００４９】
実験者の体感の程度は、「非常に暖かく感じる」を◎、「暖かく感じる」を○、「少し暖かい」を△、「変わらない」を−、「冷たく感じる」を×として集計した。なお、どちらの足首に本実施例１，２、比較例１，２とダミー品を装着するかは５人の実験者には明らかにしていない。その結果を下記表１に示す。
【００５０】
（実施例２）
実施例１における織物炭化材を、備長炭を約２０μｍに粉砕して層状にしたものをポリエステル繊維で挟んだものに代えた以外は、同じ放射性物質層を形成した。実施例２のマイナスイオン量は８４０であった。
（比較例１）
実施例１の織物炭化材を挟んだシートをそのまま使用し、セラミック材のみで塗布液をプリントして帯形装着具を構成した。比較例１のマイナスイオン量は１２０であった。
【００５１】
（比較例２）
備長炭を約５μｍに粉砕して層状にしたものをポリエステル繊維で挟んだものに、セラミック材のみで塗布液をプリントして帯形装着具を構成した。比較例２のマイナスイオン量は４２であった。
（ダミー品）
前記のように放射性物質を含む鉱石を入れず、セラミック材のみで塗布液を構成するとともに炭化材層は黒色の織物で代用して外見上はほとんど実施例品の帯形装着具と異ならないように構成した。ダミー品のマイナスイオン量は５（誤差範囲）であった。
【００５２】
【表１】
2005218651.tif 000003
【００５３】
表１からも分かるように、放射性物質を含む層と織物炭化材を含む層がある実施例１、放射性物質を含む層と炭化材を含む層がある実施例２が他の構成に比べて、血行が良くなり、暖かい体感が得られることが分かる。
なお、放射性物質を含む粒子と炭化材を含む粒子を混在させたものは、比較例１と同じ程度の暖かい体感しか得られなかったことを考慮すると、第１実施形態〜第３実施形態のように層状に放射性物質を含む層と炭化材を含む層を配置することによって顕著な効果があると思われる。
このような効果が何によってもたらされるかは厳密には分からないが、放射性物質を含む層と織物炭化材を含む層が面状に配置されることにより、放射性物質を含む層と織物炭化材を含む層の相乗作用が予想以上に大きいことは確認できた。
【図面の簡単な説明】
【００５４】
【図１】図１は本発明の第１実施形態を示すシート状材の縦断面図である。
【図２】図２は本発明の第２実施形態を示すシート状材の縦断面図である。
【図３】図３（Ａ）〜（Ｄ）はそれぞれ第２実施形態に係る放射性物質層を上方から見た平面図である。
【図４】図４は本発明の第３実施形態を示すシート状材の縦断面図である。
【図５】図５は本発明に係る帯形装着具を説明するための平面図である。
【図６】図６（Ａ）〜（Ｄ）はそれぞれ本発明に係る帯形装着具を説明するための斜視図である。
【図７】図７は本発明に係る肩当て着を説明するための斜視図である。
【符号の説明】
【００５５】
１…織物炭化材層、２…第１下地材、３…第２下地材、４…放射性物質層、６…形成部、７…非形成部、８…係合部、９…帯形装着具、１０…シート状材、１１…身体装着具、１２…肩当て着。
【図１】
2005218651.tif 000004
【図２】
2005218651.tif 000005
【図３】
2005218651.tif 000006
【図４】
2005218651.tif 000007
【図５】
2005218651.tif 000008
【図６】
2005218651.tif 000009
【図７】
2005218651.tif 000010